(57)【要約】【課題】本発明は、生体における歯の歯面に関して良好なホワイトニング効果を短時間で現出することができる簡略で処理し易いホワイトニング方法を提供する。【解決手段】本発明に係る歯１のホワイトニング方法は、歯面への歯ブラシ又は回転ブラシによる清掃過程と、歯面に対するスリーウェイシリンジ３からのエアー吹き付けによる乾燥過程と、歯面に対するレーザ光の渦巻き状照射による乾燥、活性化及び加熱過程と、イソジンゲルを含む歯用のホワイトニング剤７ａの調整過程と、歯面への歯ブラシ又は回転ブラシによるホワイトニング剤の擦り込み過程と、歯面へのレーザ光照射、バキューム吸引、レーザ光照射後の待機を含むホワイトニング剤反応過程と、歯面からのウェットガーゼによる残ったホワイトニング剤の除去過程と、を含み、歯面を滑沢化して歯面に汚れが付きにくくするようにしたものである。【選択図】図７
2009268689.tif 000002
【特許請求の範囲】
【請求項１】
歯面の回転ブラシによる清掃過程と、
歯面のエアーによる乾燥過程と、
歯面のレーザ光照射による乾燥、活性化及び加熱過程と、
歯科用のホワイトニング剤の調整過程と、
歯面への回転ブラシによるホワイトニング剤の擦り込み過程と、
歯面へのレーザ光照射によるホワイトニング剤反応過程と、
歯面からの残ったホワイトニング剤の除去過程と、
を含むことを特徴とし、歯面を滑沢化して歯面に汚れが付きにくくするようにしたことを特徴とする歯のホワイトニング方法。
【請求項２】
歯面の歯ブラシ又は回転ブラシによる清掃過程と、
歯面に対するスリーウェイシリンジからのエアー吹き付けによる乾燥過程と、
歯面に対するレーザ光の渦巻き状照射による乾燥、活性化及び加熱過程と、
イソジンゲルを含む歯科用のホワイトニング剤の調整過程と、
歯面への回転ブラシによるホワイトニング剤の擦り込み過程と、
歯面へのレーザ光照射、バキューム吸引、レーザ光照射後の待機を含むホワイトニング剤反応過程と、
歯面からのウェットガーゼによる残ったホワイトニング剤の除去過程と、
を含むことを特徴とし、歯面を滑沢化して歯面に汚れが付きにくくするようにしたことを特徴とする歯のホワイトニング方法。
【請求項３】
歯面の歯ブラシ又は回転ブラシによる清掃過程と、
歯面に対するスリーウェイシリンジからのエアー吹き付けによる乾燥過程と、
歯面に対するレーザ光の渦巻き状照射による乾燥、活性化及び加熱過程と、
イソジンゲルを含む歯科用のホワイトニング剤の調整過程と、
歯面への歯ブラシ又は回転ブラシによるホワイトニング剤の擦り込み過程と、
歯面へのレーザ光照射、バキューム吸引、レーザ光照射後の待機を含むホワイトニング剤反応過程と、
歯面からのウェットガーゼによる残ったホワイトニング剤の除去過程と、
からなる一連の処理過程を二回繰り返すことを特徴とし、歯面を滑沢化して歯面に汚れが付きにくくするようにしたことを特徴とする歯のホワイトニング方法。
【発明の詳細な説明】
【技術分野】
【０００１】
本発明は、歯のホワイトニング方法に関し、詳しくは、簡略で処理し易い処理過程の基に生体における歯の歯面に関して良好なホワイトニング効果を短時間で現出することができる歯のホワイトニング方法に関するものである。
【背景技術】
【０００２】
歯科の分野においては、虫歯等の治療の他に、審美的な観点から歯の歯面を白く見せたい（ホワイトニング）という要望が強く、これに関連する技術が種々提案されている。
【０００３】
しかし、簡略で処理し易い処理過程の基に短時間（例えば約１０分）で良好なホワイトニング効果を現出することができる歯のホワイトニング方法は中々見当たらないのが現状である。
【０００４】
特許文献１には、本発明に関連する技術として、過酸化水素水と不活性ゲル化剤を含む歯の漂白剤を用い、予め用意された不活性ゲル化剤あるいは不活性ゲル化剤と水酸基化合物の混合物を、歯の表面に塗布する直前に過酸化水素水と混合し、こうして生成されたゲル状となった漂白剤を歯の表面に塗布した後に、この塗布された漂白剤にレーザ光を照射するようにした歯の漂白方法が提案されている。
【特許文献１】特開２００１−３３５４５０号公報
【発明の開示】
【発明が解決しようとする課題】
【０００５】
本発明が解決しようとする問題点は、生体における歯の歯面に関して良好なホワイトニング効果を現出することができる簡略で、短時間（例えば約１０分）で、処理し易く、歯面を滑沢化して歯面に汚れが付きにくくするようにしたホワイトニング方法が存在しない点である。
【課題を解決するための手段】
【０００６】
本発明は、歯面の歯ブラシ又は回転ブラシによる清掃過程と、歯面のエアーによる乾燥過程と、歯面のレーザ光照射による乾燥、活性化及び加熱過程と、歯科用のホワイトニング剤の調整過程と、歯面への回転ブラシによるホワイトニング剤の擦り込み過程と、歯面へのレーザ光照射によるホワイトニング剤反応過程と、歯面からの残ったホワイトニング剤の除去過程と、を含み、歯面を滑沢化して歯面に汚れが付きにくくするようにしたことを最も特徴とする。
【発明の効果】
【０００７】
請求項１記載に係る発明によれば、歯の歯面の清掃、歯面の乾燥、歯面の活性化及び加熱、ホワイトニング剤の調整、歯面へのホワイトニング剤の擦り込み、歯面のホワイトニング剤反応及び歯面からのホワイトニング剤の除去という簡略で処理し易い一連の処理過程の基に、生体における汚れ、変色した歯の歯面に関して清潔で審美性の良い歯面を現出することができ、歯面を滑沢化して歯面に汚れが付きにくくするようにしたことを特徴とするホワイトニング方法を提供することができる。
【０００８】
請求項２記載に係る発明によれば、歯面の歯ブラシ又は回転ブラシによる清掃、歯面に対するスリーウェイシリンジからのエアー吹き付けによる乾燥、歯面に対するレーザ光の渦巻き状照射による乾燥、活性化及び加熱、イソジンゲルを含む歯科用のホワイトニング剤の調整、歯面への回転ブラシによるホワイトニング剤の擦り込み及び歯面へのレーザ光照射、バキューム吸引、レーザ光照射後の待機を含むホワイトニング剤反応及び歯面からのウェットガーゼによる残ったホワイトニング剤の除去という簡略で処理し易い一連の処理過程の基に、生体における汚れ、変色した歯の歯面に関して清潔で審美性の良い歯面を現出することができ、歯面を滑沢化して歯面に汚れが付きにくくするようにしたことを特徴とするホワイトニング方法を提供することができる。
【０００９】
請求項３記載に係る発明によれば、請求項２記載の発明と同様な効果を奏し、かつ、上述した一連の処理過程を二回繰り返すことで、より汚れ、変色の激しい歯の歯面に関しても清潔で審美性の良い歯面を現出することができ、歯面を滑沢化して歯面に汚れが付きにくくするようにしたことを特徴とするホワイトニング方法を提供することができる。
【発明を実施するための最良の形態】
【００１０】
本発明は、生体における歯の歯面に関して良好なホワイトニング効果を現出することができる簡略で短時間（例えば約１０分）で処理し易く、歯面を滑沢化して歯面に汚れが付きにくくするようにしたホワイトニング方法を提供することを目的とする。
【００１１】
本発明に係る歯のホワイトニング方法は、歯面への回転ブラシによる清掃過程と、歯面に対するスリーウェイシリンジからのエアー吹き付けによる乾燥過程と、歯面に対するレーザ光の渦巻き状照射による乾燥、活性化及び加熱過程と、イソジンゲルを含む歯科用のホワイトニング剤の調整過程と、歯面への回転ブラシによるホワイトニング剤の擦り込み過程と、歯面へのレーザ光照射、バキューム吸引、レーザ光照射後の待機を含むホワイトニング剤反応過程と、歯面からのウェットガーゼによる残ったホワイトニング剤の除去過程と、を含む構成により上記目的を実現した。
【実施例】
【００１２】
以下に、本発明の実施例に係る歯のホワイトニング方法について詳細に説明する。
【００１３】
本発明の実施例に係る歯のホワイトニング方法は、以下の（１）〜（７）からなる各過程を含むものであり、以下に詳述する。
【００１４】
（１）歯面の清掃過程
まず、図１に示すように、例えば、生体の上顎前歯群を構成する歯１を、歯ブラシ又は回転ブラシ（ロビンソンブラシ等）８の磨きブラシ２、フッ素剤（フッ素剤の入っていない歯磨き剤を用いても良い）等を用いて擦り、歯１の歯面の清掃を行なう。このとき、（歯間ブラシ等を用いて）隣り合う歯１の隣接面もていねいに清掃する。
【００１５】
（２）歯面の乾燥過程
次に、図２に示すように、エアー、ウォーター、ウォーターシャワーからなる３種類の吐出機能を有するスリーウェイシリンジ３を用いて、前記歯１の歯面にエアーを吹き付け十分にエアー乾燥する。
【００１６】
（３）歯面の（確実な）乾燥、活性化及び加熱過程
次に、図３に示すように、図示しないレーザ発光源に接続されたレーザノズル４（例えばパナソニックデンタル社製のＣＯ２レーザ）を用い、乾燥処理した歯１の歯面にレーザ光を照射（ディフォーカス照射）し、歯面の十分な乾燥と活性化、及び加熱処理を行なう。
【００１７】
このとき、レーザノズル４の端部と歯１の歯面との間隔は１５乃至２０ｍｍ程度離すことが好ましい。
【００１８】
また、歯１の歯面に対するレーザ光の照射態様は、図４に示すように、各歯１の歯面に対して、例えば、時計回りに１．５乃至２回渦巻き状に回転移動させるような態様で行なう。また、レーザ光照射時間は、例えば、上顎６前歯に対して１０秒前後とする。
【００１９】
前記歯１の歯面に対するレーザ光の照射は、歯面の乾燥と活性化を行ない、歯面を加熱して歯面の表面温度を上昇させるためである。更に、後述するホワイトニング剤を歯面に浸透させ易くするためでもある。なお、レーザ光照射以外の加熱処理を採用することもできる。
【００２０】
（４）ホワイトニング剤７ａの調整過程
【００２１】
次に、図５に示すように、ホワイトニング剤７ａの調整を行なう。すなわち、ホワイトニング剤７としては、例えば過酸化尿素が約１０％包含されているホワイトニング剤、すなわち、シェードアップ（ＳＨＯＦＵ・松風）、ナイトホワイト（デニックス・インターナショナル）等のホワイトニング剤７を用い、注入器５を使用して上下逆さまにしたダッペングラス６に使う分だけ（例えば０．５ｇ）を吐出する。併せてダッペングラス６にイソジンゲルを所定量（例えば０．５ｇ）を混入する。なお、本実施例の調整過程での使用の実際において、上記ホワイトニング剤７は、これを注射器に注入しておくと好都合で至便である。
【００２２】
次に、ダッペングラス６内のホワイトニング剤７及びイソジンゲルを十分に掻き混ぜて、うす茶色（黄金色）を呈するホワイトニング剤７ａ（ミックスしたジェル）を得る。ホワイトニング剤７とイソジンゲルとを混合することにより短時間でホワイトニング効果を得ることができる。
【００２３】
ホワイトニング
イソジンゲルを混入するのは、後述するホワイトニング剤反応過程においてレーザ光を照射したときホワイトニング剤７ａの温度上昇と熱の蓄積を行ない、ホワイトニング剤７ａの酸化還元反応を促進させるためである。また、歯１の歯面におけるホワイトニング剤７ａの塗布状態を分かりやすくするためでもある。
【００２４】
（５）歯面へのホワイトニング剤の擦り込み過程
次に、図６に示すように、上述のようにして調整したホワイトニング剤７ａを、ロビンソンブラシ８のような回転ブラシを用いて歯１の歯面に万遍なく擦り込む。このとき、ロビンソンブラシ８は緩やかに回転させることが好ましい。また、歯１の歯面に塗りきれないホワイトニング剤７ａは、綿球等で隙間なく歯面に塗り込む。
【００２５】
（６）歯面のホワイトニング剤反応過程
次に、図７に示すように、歯１の歯面に塗ったホワイトニング剤７ａの上から図示しないレーザ発光源に接続されたレーザノズル４を用いてレーザ光を照射する。このレーザ光照射は、ホワイトニング剤７ａの温度上昇と、歯１の歯面を漂白する化学反応の促進のためである。
【００２６】
このとき、レーザ光照射箇所から煙が出る場合があるために、バキューム吸引を行なう。また、ホワイトニング剤７ａの表面は乾燥しすぎないようにする（湿潤状態が良い）ことが好ましい。
【００２７】
そして、歯１の歯面に対するレーザ光照射後、１〜２分間待って歯面のホワイトニング剤反応過程が終了となる。
【００２８】
（７）歯面からの残ったホワイトニング剤７ａの除去過程
次に、図８に示すように、ガーゼ９にスリーウェイシリンジ３を用いてウォーターシャワーを吹き付け、ウェットガーゼとする。そして、このウェットガーゼで歯１の歯面に残存しているホワイトニング剤７ａを除去する。この場合、ウェットガーゼは、図９に矢印を付して示すように、歯１の歯面に対して一方向に動かすことが好ましい。
【００２９】
上述したウォーターシャワーで取りきれないホワイトニング剤７ａは、更にスリーウェイシリンジ３でウォーターシャワーしながら図示しない歯ブラシを用いて除去する。
【００３０】
以上により例えば生体の上顎前歯群を構成する各歯１に対する一回分の処理過程が完了し、これにより、図１０に示すような清潔で審美性の良い歯１の歯面を現出することができる。
【００３１】
上述した本実施例によれば、既述した如くの歯１の歯面の清掃、歯面の乾燥、歯面の活性化及び加熱、ホワイトニング剤の調整、歯面へのホワイトニング剤の擦り込み、歯面のホワイトニング剤反応及び歯面からのホワイトニング剤の除去という簡略で短時間（例えば約１０分）で処理し易い一連の処理過程を経て、生体における汚れ、変色した歯１の歯面に関して良好なホワイトニング効果、すなわち、清潔で審美性の良い歯面を短時間で現出することができ、歯面を滑沢化して歯面に汚れが付きにくくするようにしたホワイトニング方法を提供することができる。また、歯のくすみ等にも効果があるホワイトニング方法を提供することができる。
【００３２】
なお、上述した一回分の処理過程に加えて、もう一回同様な一連の処理過程を行なっても良い。例えば、合計二回分の処理過程を１クール１５分程度で、一カ月に２〜３回位実行することで、汚れ、変色の激しい歯１の歯面に関しても一層良好なホワイトニング効果を得ることができる。
【産業上の利用可能性】
【００３３】
本発明は、歯科の分野において、審美治療として、更には予防治療として広範に適用可能である。
【図面の簡単な説明】
【００３４】
【図１】本発明の実施例に係る歯のホワイトニング方法における歯面の清掃過程を示す概略説明図である。
【図２】本実施例に係る歯のホワイトニング方法における歯面の乾燥過程を示す概略説明図である。
【図３】本実施例に係る歯のホワイトニング方法における歯面の乾燥、活性化及び歯面加熱過程を示す概略説明図である。
【図４】本実施例に係る歯のホワイトニング方法における歯面の乾燥、活性化及び歯面加熱過程での歯面に対するレーザ光の照射態様を示す概略図である。
【図５】本実施例に係る歯のホワイトニング方法におけるホワイトニング剤の調整過程を示す概略説明図である。
【図６】本実施例に係る歯のホワイトニング方法における歯面に対するホワイトニング剤の擦り込み過程を示す概略説明図である。
【図７】本実施例に係る歯のホワイトニング方法における歯面のホワイトニング剤の上からレーザ光を照射しホワイトニング剤反応を起こさせる過程を示す概略説明図である。
【図８】本実施例に係る歯のホワイトニング方法における残ったホワイトニング剤の除去のためのウェットガーゼの作成過程を示す概略説明図である。
【図９】本実施例に係る歯のホワイトニング方法における歯面からのホワイトニング剤の除去過程を示す概略説明図である。
【図１０】本実施例に係る歯のホワイトニング方法を施した歯列の一例を示す概略説明図である。
【符号の説明】
【００３５】
１    歯
２    磨きブラシ
３    スリーウェイシリンジ
４    レーザノズル
５    注入器
６    ダッペングラス
７    ホワイトニング剤
７ａ  ホワイトニング剤
８    回転ブラシ（ロビンソンブラシ等）
９    ガーゼ
【図１】
2009268689.tif 000003
【図２】
2009268689.tif 000004
【図３】
2009268689.tif 000005
【図４】
2009268689.tif 000006
【図５】
2009268689.tif 000007
【図６】
2009268689.tif 000008
【図７】
2009268689.tif 000009
【図８】
2009268689.tif 000010
【図９】
2009268689.tif 000011
【図１０】
2009268689.tif 000012